(57)【要約】【課題】救難と、野外生活と、消防などの工具を同時に携帯でき、且つ担架として使用することもできる。【解決手段】展開可能な二つの袋体を折畳んで構成されたものであり、前記袋体の側辺には複数の係りリングが連続に設けてあり、両端に螺旋を持つ連接ロッドが前記係りリングを挿通してあり、前記連接ロッドの前後端は螺旋を持つロッドに締結し、且つ前記ロッドも係りリングを挿通することを特徴とする担架機能付き背負袋。【選択図】図４
0003112000.tif 000002
【実用新案登録請求の範囲】
【請求項１】
展開可能な二つの袋体を折畳んで構成したものであり、
前記袋体の側辺には複数の係りリングを連続して設け、
両端に螺旋を持つ連接ロッドが前記係りリングを挿通し、
前記連接ロッドの前後端は螺旋を持つロッドに締結し、
且つ前記ロッドも係りリングを挿通することを特徴とする、
担架機能付き背負袋。
【請求項２】
前記連接ロッドの両端には外ねじを設け、
また、ロッドの連接ロッドと締結する一端には内ねじを設けたことを特徴とする、
請求項１に記載の担架機能付き背負袋。
【請求項３】
ロッドに締結する前には、前記連接ロッドの前後端にパッキンを設置したことを特徴とする、
請求項１に記載の担架機能付き背負袋。
【請求項４】
前記ロッドの一端には連接ロッドを締結し、
前記ロッドの他端にはスコップを設けたことを特徴とする、
請求項１に記載の担架機能付き背負袋。
【請求項５】
前記ロッドの一端には連接ロッドを締結し、
前記ロッドの他端には滑止爪を設けたことを特徴とする、
請求項１に記載の担架機能付き背負袋。
【請求項６】
前記ロッドの一端には連接ロッドを締結し、
前記ロッドの他端には消防用板を設けたことを特徴とする、
請求項１に記載の担架機能付き背負袋。
【請求項７】
前記袋体の外面の上下端には、背負用帯の両端に設けられたオス・フックに係止するための複数のメス・フックを設けたことを特徴とする、
請求項１に記載の担架機能付き背負袋。
【考案の詳細な説明】
【技術分野】
【０００１】
本考案は担架機能付き背負袋に係り、特に、担架として患者を運搬でき、多種の消防用工具や野外生活用工具を携帯できる担架機能付き背負袋に関するものである。
【背景技術】
【０００２】
森林や野外や海岸などの所では土石流や津波などの災害が発生した後、救難メンバーは事故現場の地形が変化するので、救援作業は極めて困難になる。
このとき、専用器具を待って救援すれば、間に合わなく、且つ高山や森林などの場所であれば、車の通行は無理である。
【０００３】
例えば、森林火災の救難援助は、スコップなどの工具によって可燃物を除去し、斧によって木の枝を切り、鉤ロッドによって木の枝を移動し、消防用板によって火を撲滅し、且つよじ登る道具も必要であり、負傷者がでたときに担架も必要である。
各種の道具は個別の用途があるので、救難メンバーはそれらの工具を同時に携帯することが必要であり、そうすると、体力が耐えなくなり、且つ走行も不便になる。
【考案の開示】
【考案が解決しようとする課題】
【０００４】
本考案の主な目的は、救難と、野外生活と、消防などの工具を同時に携帯でき、且つ担架として使用することもできる担架機能付き背負袋を提供する。
【課題を解決するための手段】
【０００５】
上記目的を達成するためになされた本願の考案は、展開可能な二つの袋体を折畳んで構成されたものであり、前記袋体の側辺には複数の係りリングが連続に設けてあり、両端に螺旋を持つ連接ロッドが前記係りリングを挿通してあり、前記連接ロッドの前後端は螺旋を持つロッドに締結し、且つ前記ロッドも係りリングを挿通することを特徴とする担架機能付き背負袋であることを要旨としている。
【０００６】
本願の考案では、前記連接ロッドの両端には外ねじが設けてあり、なお、ロッドの連接ロッドと締結する一端には内ねじが設けてあることを特徴とする請求項１に記載の担架機能付き背負袋であることを要旨としている。
【０００７】
本願の考案では、ロッドに締結する前には、前記連接ロッドの前後端にパッキンを設置してもいいことを特徴とする請求項１に記載の担架機能付き背負袋であることを要旨としている。
【０００８】
本願の考案では、前記ロッドの一端には連接ロッドが締結してあり、前記ロッドの他端にはスコップを設けてもいいことを特徴とする請求項１に記載の担架機能付き背負袋であることを要旨としている。
【０００９】
本願の考案では、前記ロッドの一端には連接ロッドが締結してあり、前記ロッドの他端には滑止爪を設けてもいいことを特徴とする請求項１に記載の担架機能付き背負袋であることを要旨としている。
【００１０】
本願の考案では、前記ロッドの一端には連接ロッドが締結してあり、前記ロッドの他端には消防用板を設けてもいいことを特徴とする請求項１に記載の担架機能付き背負袋であることを要旨としている。
【００１１】
本願の考案では、前記袋体の外面の上下端には、背負用帯の両端に設けられたオス・フックに係止するための複数のメス・フックが設けてあることを特徴とする請求項１に記載の担架機能付き背負袋であることを要旨としている。
【考案の効果】
【００１２】
本考案に係る担架機能付き背負袋によれば、救難と、野外生活と、消防などの工具を同時に携帯でき、且つ担架として使用することもできる。
【考案を実施するための最良の形態】
【００１３】
以下、添付図面を参照して本考案の好適な実施の形態を詳細に説明する。
【００１４】
まず、図１乃至図４を参照する。本考案に係る担架機能付き背負袋は、展開可能な二つの袋体１と、連接ロッド２と、ロッド３とから構成されたものである。
【００１５】
前記袋体１は、外面の上下端には複数のメス・フック１１が設けてあり、背負帯１２の両端のオス・フック１２１がそれぞれ上下端のメス・フック１１に係止し、使用者のアームが背負帯１２を挿通すると袋を背負うことができる。
且つ袋体１は展開でき、展開された袋体１の両側には複数の係りリング１３が連続に設けてある。
担架が必要になるときには、袋体１を折畳み、背負帯１２の面を上に向かせて、連接ロッド２の両端にパッキン４を設置する。
下の袋体１の前係りリング１３と、上の袋体１の後ろ係りリング１３との間に連接ロッド２を設置して、螺旋端を持つロッド３を、後ろから下の袋体１の後ろ係りリング１３を挿通して、上の袋体１の後ろ係りリング１３を挿通して連接ロッド２に締結する。
螺旋端を持つ他のロッド３を、前から上の袋体１の前係りリング１３を挿通して、下の袋体１の前係りリング１３を挿通して連接ロッド２に締結する。
これにより、連接ロッド２の両端に螺着されたパッキン４によって上下の袋体１が滑って落下することを防止できる。
また、負傷者が上下の袋体１に寝そべったときに、上の袋体１の背負帯１２はＸ字形に交差して負傷者の上半身を固定することができる。
また、下の袋体１の背負帯１２は横にして負傷者のヘッドを固定することができ、且つ負傷者の足部を固定パッド５のパッド体５１に放置して、固定パッド５のオス・フック５２とメス・フック５３とによって負傷者の足部をロッド３に固定する。
【００１６】
前記連接ロッド２は、適当な長さを有し、両端にはロッド３に螺着するための外ねじ２１が設けてある。
車が大型の木や石によって通行できない場合には、吊り用鉤６の鉤によって上記ものを係って、他端のロープを連接ロッド２に結合して、人力によって上記ものを排除する。
【００１７】
前記ロッド３は、一端に連接ロッド２に締結するための内ねじ３１が設けてあり、他端を滑止爪３２に固定すると、坂の地形では滑止効果を有する。
他端を消防用板３３に固定すると、火を撲滅する効果を有し、他端をスコップ３４に固定すると、スコップ３４の一側の外縁に設けた鉤体３４１によって枝に係って危険な地形を登ることができ、且つスコップ３４の他側に設けた刃部３４２によって枝を切る又は土を取り除くことがでる。
特殊な状況では、スコップ３４は太陽の光線を屈折して信号を発射することができ、且つスコップ３４も鉄板として食べ物を焼くことができ、水面上ではオールとして使用することもできる。
【００１８】
これにより、図５に示すように、前記ロッド３は、一端が内ねじ３１によって連接ロッド２に締結し、他端を滑止爪３２に固定すると、坂の地形では滑止効果を有する。
他端を消防用板３３に固定すると、火を撲滅する効果を有し、他端をスコップ３４に固定すると、スコップ３４の一側の外縁に設けた鉤体３４１によって枝に係って危険な地形で登ることができ、且つスコップ３４の他側に設けた刃部３４２によって枝を切る又は土を取り除くことができる。
特殊な状況では、スコップ３４は太陽の光線を屈折して信号を発射することができ、且つスコップ３４も鉄板として食べ物を焼くことができ、水面上ではオールとして使用することもできる。
本考案を担架として使用する場合には、図７に示すように、袋体１を展開して、完全に展開された袋体１を一回折畳んで、連接ロッド２の両端に、パッキン４を螺着して、滑止爪３２が結合されたロッド３と、スコップ３４が結合されたロッド３とにそれぞれ締結して、且つ連接ロッド２とロッド３とを袋体１の両側の係りリング４に挿通して、負傷者が上下の袋体１に寝そべったときに、上の袋体１の背負帯１２はＸ字形に交差して負傷者の上半身を固定することができる。
なお、下の袋体１の背負帯１２は横にして負傷者のヘッドを固定することができ、そうすると、前後にそれぞれ一人で組付けた担架を持ち上げることができる。
二人で担架を持ち上げることができない場合には、図８に示すように、一人で担架を前に引いて移動するもできる。
【図面の簡単な説明】
【００１９】
【図１】本考案に係る袋体の斜視図である。
【図２】本考案に係る袋体を展開した状態の概略図である。
【図３】本考案に係る袋体を展開した状態と入れた工具を示す概略図である。
【図４】本考案に係る担架を組付けた状態を示す概略図である。
【図５】本考案に係るスコップを組付けた状態を示す概略図である。
【図６】本考案に係る消防用工具を組付けた状態を示す概略図である。
【図７】本考案に係る担架を二人で運搬する実施例を示す概略図である。
【図８】本考案に係る担架を一人で運搬する実施例を示す概略図である。
【符号の説明】
【００２０】
１        袋体                      １１      メス・フック
１２      背負帯                  １２１    オス・フック
１３      係りリング                ２        連接ロッド
２１      外ねじ                    ３        ロッド
３１      内ねじ                    ３２      滑止爪
３３      消防用板                  ３４      スコップ
３４１    鉤体                      ３４２    刃部
４        パッキン                  ５        固定パッド
５１      パッド体                  ５２      オス・フック
５３      メス・フック              ６        吊り用鉤
６１      鉤                        ６２      ロープ
【図１】
0003112000.tif 000003
【図２】
0003112000.tif 000004
【図３】
0003112000.tif 000005
【図４】
0003112000.tif 000006
【図５】
0003112000.tif 000007
【図６】
0003112000.tif 000008
【図７】
0003112000.tif 000009
【図８】
0003112000.tif 000010